(57)【要約】  本発明によれば、光源(７)は弾性的に電気ハウジング(５)に取り付けられており、このハウジングが使い捨てハンドル(３)に挿入されると、光導管の突出する近位端(４Ｐ)により光導管が押し戻される。押し戻された結果、光源(７)はマイクロ・スイッチ(８)を作動させ、光源(７)に電力源(６)から電力が与えられる。【選択図】    図４
2009500056.tif 000002
【特許請求の範囲】
【請求項１】
−  使用後、捨てることができ、舌押さえ・ブレード(２)と筒状ハンドル(３)とからなる構成体(１)であって、上記の舌押さえ・ブレード(２)は上記の筒状ハンドル(３)の遠位端(３Ｄ)に配置されて、筒状ハンドル(３)に対し横断方向にのび、上記ハンドル(３)の近位端(２Ｐ)は開放しており、上記の舌押さえ・ブレード(２)は光導管(４)を有し、この光導管(４)の近位端(４Ｐ)は、上記の舌押さえ・ブレード(２)を支持するその遠位端(３Ｄ)を介して上記の筒状ハンドル(３)に開放しており、その光導管(４)の遠位端(４Ｄ)は、上記の筒状ハンドル(３)から離れた舌押さえ・ブレード(２)の自由端に向けられているものと、
−  電力源(６)を囲む電気ハウジング(５)であって、その遠位端にこの電気ハウジング(５)により支持されたスイッチ(８)により上記の電力源(６)から電力を供給される電気光源(７)を有し、上記電気ハウジング(５)は上記の筒状ハンドル(３)にその開放近位端(３Ｐ)を介して、上記の電気光源(７)が上記の光導管(４)の近位端(４Ｐ)に対面する接当位置まで導入されるものとからなり、
−  上記の光導管(４)の近位端(４Ｐ)が上記の筒状ハンドル(３)内に突出し、
−  上記の電気光源(７)が弾性手段(１１)により上記の電気ハウジング(５)上に移動自在に取り付けられ、上記の接当位置において、上記の光導管(４)の突出する近位端(４Ｐ)と接触し、上記の光導管(４)は、上記の弾性手段(１１)の作用に坑して上記の電気光源(７)を押し戻し、
−  上記のスイッチ(８)は上記の光源(７)が上記の光導管(４)の突出する近位端(４Ｐ)により押し戻されると、上記の光源(７)に電力を与えるという意味で作動せられることを特徴とする喉頭鏡。
【請求項２】
上記の筒状ハンドル(３)における上記のハンドル(８)の接当位置をマークするスナップ・フィット手段(１４、１５、１６)を備えることを特徴とする請求項１に記載の喉頭鏡。
【請求項３】
上記の電気ハウジング(５)はその遠位端(５Ｄ)に、上記の光源(７)の方向に上記の光電管(４)の突出する近位端(４Ｐ)を案内する手段(１７，１８)を備えることを特徴とする請求項１あるいは請求項２に記載の喉頭鏡。
【請求項４】
光源(７)は摺動横断板(９)に取り付けられており、この摺動横断板(９)は、その摺動移動中、長手方向の円柱(１０)により案内され、上記の弾性手段(１１)により押圧されることを特徴とする請求項１から請求項３のいずれか１項に記載の喉頭鏡。
【請求項５】
電気ハウジング(５)の遠位端(５Ｄ)は、上記の弾性手段(１１)により押圧された摺動板(９)に対する接当部として機能し、オリフィス(１８)が横断する固定板(１７)を備え、上記のオリフィス(１８)を通って光導管(４)の突出近位端(４Ｐ)が貫通し、案内されることを特徴とする請求項３又は請求項４に記載の喉頭鏡。
【発明の詳細な説明】
【技術分野】
【０００１】
本発明は、例えば、挿管を目的とする、患者の喉頭の医療検査のための喉頭鏡に関する。
【背景技術】
【０００２】
米国特許第３,５９８,１１３号は既に喉頭鏡を開示しており、
−  この喉頭鏡は、使用後、捨てることができ、舌押さえ・ブレードと筒状ハンドルとからなり、上記の舌押さえ・ブレードは上記の筒状ハンドルの遠位端に配置されて、この筒状ハンドルに対し横断方向にのび、上記ハンドルの近位端は開放しており、上記の舌押さえ・ブレードは光導管を有し、この光導管の近位端は、上記の舌押さえ・ブレードを支持するその遠位端を介して上記の筒状ハンドルに開放しており、その光導管の遠位端は、上記筒状ハンドルから離れた、舌押さえ・ブレードの自由端に向けられており、
−  電力源を囲む電気ハウジングであって、その遠位端にこの電気ハウジングにより支持されたスイッチにより上記の電力源から電力を供給される電気光源を有し、このハウジングは上記の筒状ハンドルにその開放近位端を介して、上記の電気光源が上記の光導管の近位端に対面する接当位置まで導入される。
【０００３】
そのような喉頭鏡は、患者に介在している際は、上記の電気ハウジングが、上記の使い捨て構成体の筒状ハンドルにより患者の唾液から保護されるので、上記の電気ハウジングは、任意で異なるサイズの舌押さえ・ブレードを有する複数個の使い捨て構成体と共に連続して使用できる。この構成体は。よって、一方の患者が他方の患者により汚染される危険なく、経済的理由で、複数個の異なる連続舌押さえ・ブレードと共に上記の電気ハウジングを用いることができ、上記の使い捨て構成体は衛生上の理由で一回の使用後に捨てられる。
【０００４】
米国特許第３,５９８,１１３号では、上記の筒状ハンドルの電気ハウジングの接当位置は、一方では、上記の光導管の近位端近くで、上記の電気ハウジング上に、他方では、上記のハウジングの遠位端にそれぞれ設けられている肩部と協働して決定される。更に、上記のスイッチは電気ハウジングの近位端に設けられており、ネジ・キャップにより出される圧力により上記の光源に電力を与える位置に押し込まれる。上記のネジ・キャップは上記のハンドルの開放近位端が有するネジと協働する。
【特許文献１】米国特許第３,５９８,１１３号
【発明の開示】
【発明が解決しようとする課題】
【０００５】
上記の喉頭鏡を操作するには操作者が両手を使用する必要があるだけでなく、簡単でない。この理由は一方の手が喉頭鏡を保持しなければならないし、他方の手で、上記のスイッチを閉じて、上記の光源に電力源により電力を与えるまで上記のキャップをネジ被せなければならないからである。
【０００６】
然し、介在中は、単に喉頭鏡を作動させるためだけに操作者が同時に両手を自由にすることは稀である。従って、そのような喉頭鏡の使用は問題であり、操作者がその他の操作から気をそらす危険がある。
【０００７】
本発明の目的は、よって、上記の喉頭鏡を特に簡単に使用させるため改良することである。
【課題を解決するための手段】
【０００８】
このため、本発明によれば、上記のタイプの喉頭鏡は
−  上記の光導管の近位端が上記の筒状ハンドルに突出し、
−  上記の電気光源が弾性手段により上記の電気ハウジング上に移動自在に取り付けられ、上記の接当位置において、上記の光電管の突出する近位端と接触し、上記の光導管は、上記の弾性手段の作用に坑して上記の電気光源を押し戻し、
−  上記のスイッチは上記の光源が上記の光導管の突出する近位端により押し戻されると、上記の光源に電力を与えるという意味で作動せられる。
【発明の効果】
【０００９】
よって、本発明によれば、上記の電気ハウジングを完全に筒状ハンドルに導入させるだけで、上記の光源は上記の光導管を照らす。これにより喉頭鏡の使用をより容易にする。
【００１０】
上記の電気ハウジングを上記の光源が照明される位置に保持するため、上記のハンドル内の上記のハウジングの上記接当位置をマークするスナップ・フィット手段を設けるのが望ましい。
【００１１】
上記の電気ハウジングはその遠位端に、上記の光源の方向に上記の光電管の突出する近位端を案内する手段を備えるのが好ましい。
【発明を実施するための最良の形態】
【００１２】
添付図面の図により、どのように本発明が実施されるかが明確になる。これらの図において、同一符号は同一符号を示す。
【００１３】
これらの図に示された、本発明による喉頭鏡の実施例は、例えば、合成材料で作製された使い捨て構成体１からなり、この構成体１は舌押さえ・ブレード２と筒状ハンドル３とからなる。上記の舌押さえ・ブレード２は筒状ハンドル３の遠位端に、筒状ハンドル３を横断するように配置されている。このハンドル３の近位端３Ｐは開放している(図４参照)。
【００１４】
舌押さえ・ブレード２は光電管４を有し、この光電管４の近位端４Ｐは筒状ハンドル３にその遠位端３Ｄを介して開放している。光導管４の遠位端４Ｄは、筒状ハンドル３から離れた、舌押さえ・ブレード２の自由端に向けられている。
【００１５】
図に示されている喉頭鏡は、更に、例えば、バッテリあるいは蓄電池である、電力源６のための内部シート６Ａとその(ハウジング５)の遠位端５Ｄに光源７、例えば、発光ダイオードを有する細長い電気ハウジング５を備える。上記の光源７には、ハウジング５により支持されているマイクロ・スイッチ８により電力源６から電流が供給される。
【００１６】
図４に示されているように、電気ハウジング５は、筒状ハウジング３の開放近位端３Ｐを介して筒状ハンドル３に導入できる。
【００１７】
本発明によれば、図３、図４および図５に示されているように、
−  光導管４の近位端４Ｐは筒状ハンドル３内に突出し、
−  光源７は摺動横断板９に取り付けられており、この摺動横断板９は、その摺動移動中、長手方向の円柱１０により案内され、ハウジング５の遠位方向５Ｄにバネ１１により弾性的に押圧され、
−  ハウジング５の遠位端５Ｄは、上記の弾性手段１１により押圧された摺動板９に対する接当部として機能し、オリフィス１８が横断する固定板１７を備え、上記のオリフィス１８を通って光導管４の突出近位端４Ｐが貫通し、案内され、
−  上記のマイクロ・スイッチ８は、ハウジング５の内部シート６Ａの固定遠位底部１２と、光源７を支持する摺動板９との間に配置され、
−  ハウジング５の近位底部１３が、例えば、ストッパの形態であり、例えば、ネジ操作により外れ、電気エネルギー源(電力源)６のシート６Ａにアクセスでき、更に、この近位底部１３は、その周辺に、ボール１５を弾性的に外側に押圧する、バネで取り付けられたプランジヤ１４を備え、
−  筒状ハンドル３はその近位端３Ｐ近くでは内部溝１６を有し、その溝１６内にボール１５が係合できる。
【００１８】
よって、ハウジング５が簡単な摺動操作により、筒状ハンドル３に導入されると、光導管４の近位端４Ｐは固定板１７のオリフィス１８に係合し、これを通って案内され、光源７に接触する。その結果、摺動横断板９がバネ１１の作用に反して押し戻され、マイクロスイッチ８を作動し上記回路を閉じ、これによりこのマイクロスイッチ８は、光源７に電力源６により電力が与えられる(光導管４の近位端４Ｐが、明確にするため省略されている図６参照)。この時点で、ボール１５は弾性的に溝１６に係合し、ハウジング５をハンドル３の接当位置に固定し、上記のハウジングの近位底部１３の１部は上記のハンドル３の外側に突出する(図１、図２および図３参照)。
【００１９】
よって、本発明による喉頭鏡は、単に、ハンドル３にハウジング５を導入する、例えば、重力の作用でそれを摺動することにより、自動的に開始でき、舌押さえ・ブレード２は下方に向けられる。
【００２０】
介在が終了すると、上記の近位底部１３は引き戻され、ハウジング５をハンドル３から引き出し、光源６は光導管４の近位端４Ｐとの接触から離脱し、バネ１１は緩む。ハウジング５は最初の位置に戻り(図５参照)もう１つの使い捨て構成体１への導入準備態勢になる。
【図面の簡単な説明】
【００２１】
【図１】本発明による喉頭鏡の、若干斜視図的な側面図である。
【図２】図１に示す喉頭鏡の正面図である。
【図３】図２のIII-III線に沿う断面図である。
【図４】使い捨ての構成体への筒状ハンドルに電気ハウジングの導入を示す断面図である。
【図５】非照明位置および照明位置に、電気ハウジングの光源を配置した状態を示す斜視図である。
【図６】非照明位置および照明位置に、電気ハウジングの光源を配置した状態を示す斜視図である。
【符号の説明】
【００２２】
１…構成体、２…舌押さえ・ブレード、３…筒状ハンドル、３Ｄ…筒状ハンドルの遠位端、３Ｐ…筒状ハンドルの近位端、４…光導管、４Ｐ…光導管の近位端、４Ｄ…光電管の遠位端、５…電気ハウジング、５Ｄ…電気ハウジングの遠位端、６…電力源、７…電気光源、８…スイッチ、９…摺動横断板、１０…円柱、１１…弾性手段、１４・１５・１６…スナップ・フィット手段、１７…固定板、１８…オリフィス。
【図１】
2009500056.tif 000003
【図２】
2009500056.tif 000004
【図３】
2009500056.tif 000005
【図４】
2009500056.tif 000006
【図５】
2009500056.tif 000007
【図６】
2009500056.tif 000008
【国際調査報告】
2009500056.tif 000009
2009500056.tif 000010
2009500056.tif 000011
2009500056.tif 000012